(57)【要約】【課題】収容中における照明器具の電池が電力を消費することを抑制しつつ、電池を含む電池ユニットを取り違える可能性を低減することができる梱包箱を提供する。【解決手段】梱包箱１は、照明器具５を収容する。照明器具５では、電池ユニット８に設けられている第一接続部８２と点灯ユニットに設けられている第二接続部９５とが互いに電気的に接続することで電池と点灯回路とが電気的に接続する。梱包箱１は、筐体２と、蓋部（第二蓋部４２）と、を備える。蓋部は、介在部４０を含む。介在部４０は、照明器具５が収容されているとき、電池ユニット８と点灯ユニットとの間に介在して第一接続部８２と第二接続部９５とが互いに離れた状態を維持する。【選択図】図１
2018144873.tif 000002
【特許請求の範囲】
【請求項１】
電池を含む電池ユニットに設けられている第一接続部と光源を点灯させる点灯回路を含む点灯ユニットに設けられている第二接続部とが互いに電気的に接続することで前記電池と前記点灯回路とが電気的に接続する照明器具を収容する梱包箱であって、
開口部を有する筐体と、
前記筐体のうち前記開口部の周縁の一部に繋がっている蓋部と、を備え、
前記蓋部は、前記照明器具が収容されているとき、前記電池ユニットと前記点灯ユニットとの間に介在して前記第一接続部と前記第二接続部とが互いに離れた状態を維持する介在部を含む
ことを特徴とする梱包箱。
【請求項２】
前記筐体のうち前記周縁の一の辺に繋がっており、前記開口部を開閉するための外蓋部を更に備え、
前記蓋部は、板状に形成されており前記照明器具が収容されているとき半筒状の部分を有するように曲がっている主部を更に含む
ことを特徴とする請求項１記載の梱包箱。
【請求項３】
前記介在部は、
電気絶縁性を有し、
前記照明器具が収容されているとき、前記第一接続部と前記第二接続部との間に介在する
ことを特徴とする請求項１又は２に記載の梱包箱。
【発明の詳細な説明】
【技術分野】
【０００１】
本発明は梱包箱に関し、より詳細には、照明器具を収容する梱包箱に関する。
【背景技術】
【０００２】
従来例として特許文献１記載の包装箱を例示する。特許文献１記載の包装箱は、照明器具を収容するために用いられる。包装箱は、底壁と、底壁から上向きに立ち上がる４つの側壁と、４つの側壁の上端に繋がった４つの蓋部とを含む。
【先行技術文献】
【特許文献】
【０００３】
【特許文献１】実開昭６０−２７０７８号公報
【発明の概要】
【発明が解決しようとする課題】
【０００４】
ところで、電池に電気的に接続されて光源を点灯させる点灯回路を備える照明器具では、電池と点灯回路とを電気的に接続した状態で照明器具が包装箱に収容されているときに、電池から点灯回路への給電により、電池の充電量が減少する。
【０００５】
一方で、電池の充電量の減少を抑制するために、電池を含む電池ユニットと点灯回路とを別々にして包装箱に収容すると、電池ユニットを点灯回路に適合しない別の電池ユニットと取り違える可能性がある。
【０００６】
本発明は、収容中における照明器具の電池が電力を消費することを抑制しつつ、電池を含む電池ユニットを取り違える可能性を低減することができる梱包箱を提供することを目的とする。
【課題を解決するための手段】
【０００７】
上記の課題を解決するために、本発明の一態様に係る梱包箱は、照明器具を収容する。前記照明器具は、第一接続部と第二接続部とが互いに電気的に接続することで電池と点灯回路とが電気的に接続する。前記第一接続部は、電池ユニットに設けられている。前記電池ユニットは、前記電池を含む。前記第二接続部は、点灯ユニットに設けられている。前記点灯ユニットは、前記点灯回路を含む。前記点灯回路は、光源を点灯させる。前記梱包箱は、筐体と、蓋部と、を備える。前記筐体は、開口部を有する。前記蓋部は、前記筐体のうち前記開口部の周縁の一部に繋がっている。前記蓋部は、介在部を含む。前記介在部は、前記照明器具が収容されているとき、前記電池ユニットと前記点灯ユニットとの間に介在して前記第一接続部と前記第二接続部とが互いに離れた状態を維持する。
【発明の効果】
【０００８】
本発明の一態様に係る梱包箱は、収容中における照明器具の電池が電力を消費することを抑制しつつ、電池を含む電池ユニットを取り違える可能性を低減することができる。
【図面の簡単な説明】
【０００９】
【図１】図１は、本発明の一実施形態に係る梱包箱が照明器具を収容している状態を示す断面図である。
【図２】図２は、同上の梱包箱が照明器具を収容している状態を示す上面図である。
【図３】図３は、同上の梱包箱が、カバーが取り外された照明器具を収容している状態を示す上面図である。
【図４】図４は、同上の梱包箱の斜視図である。
【図５】図５は、同上の梱包箱に収容される照明器具の分解斜視図である。
【図６】図６は、同上の梱包箱に収容される照明器具の点灯ユニットの下面図である。
【発明を実施するための形態】
【００１０】
以下、実施形態に係る梱包箱１について、図面を用いて説明する。以下、特に断りのない限り、図４において矢印で示す向きにより、梱包箱１の上下、左右、前後を規定する。すなわち、梱包箱１の基部２０と開口部１０とが対向している方向を梱包箱１の上下方向とし、基部２０側を下とし、開口部１０側を上とする。また、一対の第一側部２１が対向している方向を梱包箱１の前後方向とする。また、一対の第二側部２２が対向している方向を梱包箱１の左右方向とする。
【００１１】
本実施形態の梱包箱１は、図４に示すように、筐体２と、一対の外蓋部３０と、第一蓋部４１と、第二蓋部４２（蓋部）とを備えている。梱包箱１は、電気絶縁性を有している。梱包箱１は、例えば段ボール箱である。すなわち、梱包箱１は、板状の部材を折り曲げることにより箱状に組み立てられている。また、梱包箱１の厚み部分はトラス構造を形成している。ただし、梱包箱１は段ボール箱に限定されない。
【００１２】
筐体２は、中空の直方体状に形成されている。筐体２は、基部２０と、互いに対向する一対の第一側部２１と、互いに対向する一対の第二側部２２とを含む。
【００１３】
基部２０と、一対の第一側部２１と、一対の第二側部２２とはそれぞれ、長方形の板状に形成されている。基部２０の厚み方向は上下方向である。一対の第一側部２１と、一対の第二側部２２とは、基部２０に直交しており、基部２０の４辺から上向きに突出している。なお、基部２０の形状は正方形状であってもよい。
【００１４】
筐体２は、基部２０と対向する面（上面）に開口部１０を有している。開口部１０の形状は長方形状である。開口部１０の周縁２３は、一対の辺２１０（一の辺）と、第一辺２２１と、第二辺２２２とを含む。一対の辺２１０は、一対の第一側部２１の上辺に相当する。第一辺２２１は、一対の第二側部２２のうちの一方の上辺に相当し、第二辺２２２は、一対の第二側部２２のうちの他方の上辺に相当する。なお、開口部１０の形状は正方形状であってもよい。
【００１５】
一対の外蓋部３０はそれぞれ、長方形の板状に形成されている。一対の外蓋部３０は、一対の辺２１０に一対一で対応しており、対応する辺２１０に繋がっている。一対の外蓋部３０は、ユーザの操作により、開口部１０を開閉するように辺２１０を軸として回転する。すなわち、各外蓋部３０は、辺２１０を軸として第一側部２１に対して屈曲し、又は第一側部２１と面一になる。一対の外蓋部３０は、辺２１０と向かい合う辺２１１において、開口部１０の前後方向の中央で互いに接した状態で開口部１０を閉塞する。なお、各外蓋部３０の形状は正方形状であってもよい。
【００１６】
第一蓋部４１は、第一辺２２１に繋がっている。第一蓋部４１は、長方形の板状に形成されている。第一蓋部４１は、第一辺２２１と向かい合う第一先端部４１３を有している。なお、第一蓋部４１の形状は正方形状であってもよい。
【００１７】
第一蓋部４１は、第一折曲げ部４１１と、第二折曲げ部４１２とを更に有している。第一折曲げ部４１１と第二折曲げ部４１２とはそれぞれ、第一辺２２１に対して略平行であり、第一蓋部４１の幅方向（前後方向）の全域に亘って直線状に形成されている。第一蓋部４１は、第一辺２２１と、第一折曲げ部４１１と、第二折曲げ部４１２とのそれぞれで屈曲する。より詳細には、第一蓋部４１は、第一辺２２１と、第一折曲げ部４１１と、第二折曲げ部４１２とを軸として、それぞれ同じ側に屈曲する。これにより、第一蓋部４１は、角形の半筒状（角樋状）となる。
【００１８】
このとき、図１に示すように、第一蓋部４１は、第一辺２２１から第一折曲げ部４１１までの部分（第一片部４４）の厚み方向が上下方向に沿っている。なお、図１は図２のＸ１−Ｘ１断面図である。また、第一蓋部４１は、第一折曲げ部４１１から第二折曲げ部４１２までの部分（第二片部４５）の厚み方向が左右方向に沿っている。また、第一蓋部４１は、第二折曲げ部４１２から第一先端部４１３までの部分（第三片部４６）の厚み方向が上下方向に沿っている。また、第一先端部４１３は、一対の第二側部２２のうち第一辺２２１を有する第二側部２２の内面に接している。また、第一蓋部４１は、一対の第一側部２１に挟まれて保持されている。
【００１９】
図４に示すように、第二蓋部４２は、第二辺２２２に繋がっている。第二蓋部４２は、介在部４０と主部４３とを含む。介在部４０と主部４３とは、一体に形成されている。介在部４０は、長方形又は正方形の板状の第二蓋部４２に切り込みを入れることにより形成されている。主部４３は、第二蓋部４２から介在部４０が形成された後の残りの部分を含む。必要に応じて主部４３は、第二辺２２２から第二辺２２２と向かい合う対辺までの長さが介在部４０の長さよりも短くなるように、対辺側の部分が切り取られている。第二蓋部４２は、介在部４０が形成される際に生じた切欠き４２０を有している。
【００２０】
主部４３は、長方形の板状に形成されている。主部４３は、第二辺２２２と向かい合う第二先端部４２３を有している。なお、主部４３の形状は正方形状であってもよい。
【００２１】
主部４３は、第一折曲げ部４２１と、第二折曲げ部４２２とを更に有している。第一折曲げ部４２１と第二折曲げ部４２２とはそれぞれ、第二辺２２２に対して略平行であり、主部４３の幅方向（前後方向）の全域に亘って直線状に形成されている。主部４３は、第二辺２２２と、第一折曲げ部４２１と、第二折曲げ部４２２とのそれぞれで屈曲する。より詳細には、主部４３は、第二辺２２２と、第一折曲げ部４２１と、第二折曲げ部４２２とを軸として、それぞれ同じ側に屈曲する。これにより、第二蓋部４２のうち主部４３は、角形の半筒状となる。
【００２２】
このとき、図１に示すように、主部４３は、第二辺２２２から第一折曲げ部４２１までの部分（第一片部４７）の厚み方向が上下方向に沿っている。また、主部４３は、第一折曲げ部４２１から第二折曲げ部４２２までの部分（第二片部４８）の厚み方向が左右方向に沿っている。また、主部４３は、第二折曲げ部４２２から第二先端部４２３までの部分（第三片部４９）の厚み方向が上下方向に沿っている。また、第二先端部４２３は、一対の第二側部２２のうち第二辺２２２を有する第二側部２２の内面に接している。また、主部４３は、一対の第一側部２１に挟まれて保持されている。
【００２３】
梱包箱１に照明器具５が収容され、上記のように第一蓋部４１及び第二蓋部４２が半筒状に曲がった状態で、一対の外蓋部３０（図３参照）が開口部１０を閉塞する。各外蓋部３０は、左右方向において第一片部４４と第一片部４７との間を架け渡すように第一片部４４及び第一片部４７の上に積層される。
【００２４】
介在部４０は、長尺の矩形板状に形成されている。介在部４０は、電気絶縁性を有している。介在部４０は、第一折曲げ部４２１において主部４３に繋がっている。介在部４０は、厚み方向に変形可能である。例えば、介在部４０は、厚み方向に屈曲したり、円弧状に曲がったりできる。介在部４０は、図１に示すように、梱包箱１に収容された照明器具５の後述の電池ユニット８と点灯ユニット９（図３参照）との間に抜き取り可能に差し込まれる。より詳細には、介在部４０は、後述の第一接続部８２と第二接続部９５との間に差し込まれる。これにより、介在部４０は、第一接続部８２と第二接続部９５との間に介在する。
【００２５】
次に、梱包箱１に収容される照明器具５について説明する。以下、特に断りのない限り、図５において矢印で示す向きにより、照明器具５の上下、左右、前後を規定する。すなわち、器具本体６と光源７０とが並んでいる方向を照明器具５の上下方向とし、器具本体６側を上とし、光源７０側を下とする。また、２つの支持具６２が並んでいる方向を照明器具５の左右方向とする。また、器具本体６と光源７０とが並んでいる方向と、２つの支持具６２が並んでいる方向との両方向に直交する方向を照明器具５の前後方向とする。
【００２６】
照明器具５は、非常灯として用いられる照明器具である。照明器具５は、建物の通路又は廊下等において天井材に埋込まれる。ただし、梱包箱１（図１参照）は、非常灯に限らず、各種の照明器具を収容するために適用される。梱包箱１は、例えば、シーリングライト、ベースライト及びダウンライト等の照明器具を収容するために適用される。また、梱包箱１は、例えば、天井材又は壁等に埋込まれる照明器具や、天井材又は壁等から露出した状態で取り付けられる照明器具を収容するために適用される。
【００２７】
照明器具５は、光源７０を含む光源ユニット７と、器具本体６と、２つの支持具６２と、カバー５０と、２つの取付ばね５１と、電池ユニット８と、点灯ユニット９と、を備えている。図３に示すように、電池ユニット８は、複数（図３では３つ）の電池８０を含む。図６に示すように、点灯ユニット９は、点灯回路９０２を含む。
【００２８】
図５に示すように、光源ユニット７は、光源７０と、光源７０が実装された基板と、プラグコネクタ７１と、レンズ７２と、放熱部材７３とを含む。
【００２９】
光源７０は、例えば発光ダイオード素子である。光源７０は、プラグコネクタ７１に電気的に接続されており、プラグコネクタ７１を介して点灯回路９０２（図６参照）から電力供給を受ける。なお、光源７０は発光ダイオード素子に限定されず、例えば、有機エレクトロルミネッセンス素子、レーザーダイオード素子、白熱電球、水銀灯又は蛍光灯等であってもよい。
【００３０】
レンズ７２は、ガラス等により透光性を有するように形成されている。レンズ７２は、ドーム状に形成されている。レンズ７２は、光源７０から放射される光を配光する。
【００３１】
放熱部材７３は、例えば、アルミ又はアルミ合金製の板材によって、略Ｕ字状に形成されている。放熱部材７３は、結合部７３０を有している。結合部７３０は、上下方向を厚み方向とする平板状に形成されている。結合部７３０の下面には、左右方向の中央を含む領域に、光源７０が実装された基板が取り付けられている。さらに、光源７０を覆うように、レンズ７２が結合部７３０に取り付けられている。
【００３２】
プラグコネクタ７１は、結合部７３０の上面に取り付けられている。プラグコネクタ７１は、一対のコンタクトを有している。一対のコンタクトは、コネクタハウジング７１０に収容されている。一方のコンタクトは、電線を介して光源７０のカソード電極に電気的に接続されており、他方のコンタクトは、電線を介して光源７０のアノード電極に電気的に接続されている。
【００３３】
器具本体６は、例えば、亜鉛めっき鋼板により形成されている。器具本体６は、下面が開口した有底筒状に形成されている。より詳細には、器具本体６は、複数の平坦な壁面６０を有する角筒状に形成されている。器具本体６の複数の壁面６０の下端縁からは、複数のフランジ片６１が器具本体６に対して外向きに突出している。
【００３４】
器具本体６の左右の壁面６０には、それぞれ支持具６２が１つずつ取り付けられている。これら２つの支持具６２は、長尺の板ばね状に形成されている。各支持具６２は、長手方向の一端において器具本体６に固定されており、長手方向の他端が上向きに撓むことができるように構成されている。器具本体６は、天井材に設けられた埋込孔に挿入される２つの支持具６２と、器具本体６から突出している複数のフランジ片６１との間で天井材を挟むようにして天井材に支持される。
【００３５】
カバー５０は、例えば鋼板により形成されている。カバー５０は、器具本体６の外径（複数のフランジ片６１の先端縁の外径）よりも大きい円盤状に形成されている。カバー５０の中央には、円形の窓孔５００が設けられている。カバー５０の上面における前端及び後端には、それぞれ取付ばね５１が取り付けられている。
【００３６】
図３に示すように、電池ユニット８は、複数（図３では３つ）の電池８０と、複数の電池８０を収容する電池ケース８１とを含む。電池８０は、例えば、円筒形のニッカド電池、あるいは、円筒形のニッケル水素電池などの二次電池が用いられる。電池ケース８１は、上下両側の底面がＵ字状である有底筒状に形成されている。複数の電池８０は、軸方向を上下方向とし、径方向（前後方向）に沿って一列に並んで電池ケース８１内に収容されている。複数の電池８０は、電気的に直列に接続されている。なお、電池８０は一次電池であってもよい。また、電池８０の本数は１つ又は２つであってもよいし、４つ以上であってもよい。
【００３７】
図３、５に示すように、電池ケース８１の下側の前端部には、第一接続部８２が設けられている。第一接続部８２はコネクタである。第一接続部８２は、一対のコンタクトを有している。一対のコンタクトは、コネクタハウジング８２０に収容されている。一方のコンタクトは、電気的に直列に接続された複数の電池８０のうちの一方の端の電池８０の正極と電気的に接続される。他方のコンタクトは、他方の端の電池８０の負極と電気的に接続される。
【００３８】
点灯ユニット９は、図６に示すように、点灯装置９０と、点灯装置９０を収容している筐体９１とを有している。
【００３９】
点灯装置９０は、直流電源回路、充電回路、点灯回路９０２、停電検出回路及び制御回路を備えている。点灯装置９０は、プリント配線板からなる回路基板９３に実装される種々の電子部品と導体とで各回路を実現している。また、回路基板９３には、第二接続部９５と、コネクタ部９６とが実装されている。第二接続部９５は、コネクタである。
【００４０】
電池ユニット８（図３参照）の電池８０（図３参照）と充電回路及び点灯回路９０２とは、電池ユニット８の第一接続部８２（図３参照）と、第二接続部９５とを介して電気的に接続される。光源ユニット７（図５参照）の光源７０（図５参照）と点灯回路９０２とは、光源ユニット７のプラグコネクタ７１（図５参照）と、コネクタ部９６とを介して電気的に接続される。
【００４１】
直流電源回路は、例えば、リンギングチョークコンバータなどの自励型のスイッチング電源回路で構成され、外部電源（例えば、商用の電力系統）から供給される交流電圧を直流電圧に変換する。充電回路は、直流電源回路から電池ユニット８（図３参照）へ一定の電流を流して電池８０（図３参照）を充電する。
【００４２】
点灯回路９０２は、電池８０から供給される直流電流を定電流化して光源ユニット７（図３参照）に供給する。これにより、点灯回路９０２は、光源７０（図３参照）を点灯させる。点灯装置９０が外部電源と電気的に接続されていないときであっても、電池８０は点灯回路９０２において待機電力を消費する。
【００４３】
停電検出回路は、直流電源回路の出力電圧を検出することにより外部電源の停電を検出して制御回路に通知する。
【００４４】
制御回路は、停電検出回路が停電を検出していないとき、充電回路を動作させ、かつ、点灯回路９０２を停止させるように構成されている。また、制御回路は、停電検出回路が停電を検出しているとき、充電回路を停止させ、かつ、点灯回路９０２を動作させるように構成されている。
【００４５】
点灯ユニット９の筐体９１は、第一筐体９１１と第二筐体９１２とが結合されて箱状に形成されている。第一筐体９１１は、一面（左側面）が開放された矩形の箱状に形成されている。第一筐体９１１の外側の底面（右側面）には、端子台９８が取り付けられている。端子台９８は、速結端子である。端子台９８は、点灯装置９０に電気的に接続されている。端子台９８には、外部電源から電力を供給するための電源線が差し込まれる。これにより、端子台９８を介して、点灯装置９０が外部電源と電気的に接続される。
【００４６】
第二筐体９１２は、一面（右側面）が開放された箱状に形成されている。第一筐体９１１と第二筐体９１２とは、互いの開放端を突き合わせて互いに結合している。さらに、筐体９１の下面９１０には、２つの開口部９５０、９６０が前後方向に並んで設けられている。筐体９１の内部において、回路基板９３に実装された第二接続部９５は、前側の開口部９５０に対向して配置されている。また、筐体９１の内部において、回路基板９３に実装されたコネクタ部９６は、後側の開口部９６０に対向して配置されている。
【００４７】
次に、図３を参照して、照明器具５を梱包箱１に収容し、さらに開口部１０を閉塞する手順の一例を説明する。
【００４８】
照明器具５は、光源ユニット７及び点灯ユニット９が器具本体６に収容された状態である。カバー５０は器具本体６から取り外された状態である。
【００４９】
照明器具５は、光源７０が器具本体６に対して上に位置するように向けられる。以下の説明では、光源７０と器具本体６とが並んでいる方向において、光源７０側を上とし、器具本体６側を下とする。図１に示すように、テープ１１を用いて器具本体６の左右の壁面６０に沿って支持具６２が固定される。
【００５０】
電池ユニット８は、器具本体６に部分的に収容されている。より詳細には、電池ユニット８は、第一接続部８２が点灯ユニット９の第二接続部９５に差し込まれずに第二接続部９５に対向した状態である。これにより、電池ユニット８は、器具本体６に完全に収容されているときよりも上に位置しており、電池ユニット８の上端付近が前後・左右方向から見て器具本体６の外部に露出している。
【００５１】
また、図４に示すように、梱包箱１は、一対の外蓋部３０が開口部１０を開放した状態にされる。すなわち、各外蓋部３０は辺２１０を軸に回転させられて筐体２の外に引き出される。さらに、第一蓋部４１は第一辺２２１を軸に回転させられて筐体２の外に引き出され、第二蓋部４２は第二辺２２２を軸に回転させられて筐体２の外に引き出される。
【００５２】
その状態で、図３に示すように、照明器具５は、梱包箱１の開口部１０から筐体２の内部に収容される。その後、第二蓋部４２が第二辺２２２を軸に回転させられて筐体２の内側に配置される。
【００５３】
さらに、介在部４０は、電池ユニット８の第一接続部８２と、点灯ユニット９の第二接続部９５（図１参照）との間に挿入される。これにより、介在部４０は、第一接続部８２と第二接続部９５との間に介在する。また、これにより介在部４０は、第一接続部８２と第二接続部９５とが互いに離れた状態を維持する。すなわち、介在部４０は、第一接続部８２と第二接続部９５との間を電気的に絶縁する。
【００５４】
さらに、図１、２に示すように、カバー５０が電池ケース８１の上面に乗せられる。
【００５５】
さらに、第一蓋部４１が第一辺２２１を軸に回転させられて筐体２の内側に配置される。第一蓋部４１の第三片部４６及び第二蓋部４２の第三片部４９が、カバー５０の上面との間にほぼ隙間を生じないように、梱包箱１の寸法が設計されている。なお、梱包箱１は、第三片部４６及び第三片部４９と、カバー５０の上面との間に隙間を生じるように形成されていてもよい。
【００５６】
さらに、一対の外蓋部３０が辺２１０を軸に回転させられて、開口部１０を閉塞する。必要に応じて一対の外蓋部３０は、開口部１０の前後方向の中央においてテープ等を用いて互いに固定され、また、一対の外蓋部３０から一対の第一側部２１に亘ってテープ止めされて、一対の外蓋部３０が一対の第一側部２１に対して固定される。
【００５７】
次に、梱包箱１に収容された照明器具５を梱包箱１から取り出す手順の一例を説明する。
【００５８】
照明器具５を梱包箱１から取り出す際には、まず、一対の外蓋部３０を固定しているテープ等をカッターナイフで切るなどして除去する。このとき、各外蓋部３０と照明器具５との間には、第一蓋部４１及び第二蓋部４２が介在している。したがって、カッターナイフの刃を梱包箱１の上面に当てたとき、外蓋部３０が下向きに撓むことが抑制され、また、刃が第一蓋部４１及び第二蓋部４２に接触することにより、刃で照明器具５を誤って傷つける可能性が低減される。
【００５９】
次に、一対の外蓋部３０は辺２１０を軸に回転させられて、開口部１０を開放する。さらに、第一蓋部４１は第一辺２２１を軸に回転させられて筐体２の外に引き出される。第二蓋部４２は第二辺２２２を軸に回転させられて筐体２の外に引き出され、このとき、介在部４０は、第一接続部８２と第二接続部９５との間から抜き取られ、器具本体６とカバー５０との間から器具本体６の外部に取り出される。そして、梱包箱１から照明器具５が取り出される。
【００６０】
梱包箱１から取り出された照明器具５は、電池ユニット８が器具本体６の内部に向かって押されることにより、第一接続部８２が第二接続部９５に差し込まれる。すなわち、第一接続部８２が第二接続部９５に接する。これにより、第一接続部８２と第二接続部９５とが電気的にかつ機械的に接続され、電池８０（図３参照）と点灯回路９０２（図６参照）とが電気的に接続される。したがって、照明器具５は、天井材等に取り付けて使用可能な状態になる。
【００６１】
上記の通り、照明器具５が梱包箱１に収容されているとき、介在部４０により第一接続部８２と第二接続部９５とが互いに離れた状態が維持され、第一接続部８２と第二接続部９５との間は電気的に絶縁されている。したがって、電池８０（図３参照）が点灯回路９０２（図６参照）に電力を供給して電池８０の充電量が減少することを抑制することができる。すなわち、照明器具５を梱包箱１から取り出して使用する前に電池８０が放電して電池８０を充電又は交換する必要が生じる可能性を低減することができる。
【００６２】
また、上記の通り、器具本体６が電池ユニット８を収容した状態で梱包箱１が照明器具５を収容する。これにより、電池ユニット８を器具本体６から取り外した状態で電池ユニット８と器具本体６とを梱包箱１に収容する場合よりも、梱包箱１の大きさが小さくて済む。また、照明器具５を梱包箱１から取り出して使用する際に、電池ユニット８を器具本体６に取り付ける作業が簡易である。これにより、照明器具５の取り付け作業が簡易になり、また、電池ユニット８と取り違えて別の電池ユニットを器具本体６に取り付けるミスを減らすことができる。
【００６３】
上述の通り、本実施形態に係る梱包箱１は、照明器具５を収容する。照明器具５は、第一接続部８２と第二接続部９５とが互いに電気的に接続することで電池８０と点灯回路９０２とが電気的に接続する。第一接続部８２は、電池ユニット８に設けられている。電池ユニット８は、電池８０を含む。第二接続部９５は、点灯ユニット９に設けられている。点灯ユニット９は、点灯回路９０２を含む。点灯回路９０２は、光源７０を点灯させる。梱包箱１は、筐体２と、蓋部（第二蓋部４２）と、を備える。筐体２は、開口部１０を有する。蓋部は、筐体２のうち開口部１０の周縁２３の一部（第二辺２２２）に繋がっている。蓋部は、介在部４０を含む。介在部４０は、照明器具５が収容されているとき、電池ユニット８と点灯ユニット９との間に介在して第一接続部８２と第二接続部９５とが互いに離れた状態を維持する。
【００６４】
本実施形態の梱包箱１は、介在部４０を備える。介在部４０は、照明器具５が収容されているとき、電池ユニット８と点灯ユニット９との間に介在して第一接続部８２と第二接続部９５とが互いに離れた状態を維持する。これにより、照明器具５が収容されているとき、電池８０が点灯回路９０２に電力を供給して電力を消費することを抑制することができる。また、電池ユニット８と点灯回路９０２とを共に照明器具５に設けた状態で照明器具５を収容することができるので、電池ユニット８を点灯回路９０２に適合しない別の電池ユニットと取り違える可能性を低減することができる。また、介在部４０は梱包箱１の蓋部（第二蓋部４２）に含まれている。したがって、介在部が梱包箱の他の部分とは別体の部材である場合と比較して、介在部４０は、照明器具５を梱包箱１から取り出したときにより確実に照明器具５から取り出される。すなわち、介在部４０を取り出し忘れる可能性を低減することができる。また、介在部４０は梱包箱１の蓋部に含まれているので、梱包箱１の他の部分と一緒に用意し、また、処分することができる。したがって、介在部が梱包箱の他の部分とは別体の部材である場合と比較して、介在部４０を用意したり処分したりする手間を減らすことができる。
【００６５】
また、本実施形態に係る梱包箱１は、外蓋部３０を更に備える。外蓋部３０は、筐体２のうち周縁２３の一の辺（辺２１０）に繋がっている。外蓋部３０は、開口部１０を開閉する。蓋部（第二蓋部４２）は、主部４３を更に含む。主部４３は、板状に形成されている。主部４３は、照明器具５が収容されているとき、半筒状の部分を有するように曲がっている。
【００６６】
上記の通り、梱包箱１は、開口部１０を開閉する外蓋部３０を更に備える。蓋部（第二蓋部４２）は主部４３を更に含む。主部４３は、板状に形成されており、照明器具５が収容されているとき、半筒状の部分を有するように曲がっている。これにより、梱包箱１は、開口部１０を閉塞する外蓋部３０と照明器具５との間に蓋部が介在した状態で照明器具５を収容することができる。ところで、外蓋部３０がテープを用いるなどして固定されている場合に、カッターナイフ等を用いて外蓋部３０が開封されることがある。カッターナイフの刃を梱包箱１の外蓋部３０側（本実施形態では上側）に当てたとき、外蓋部３０と照明器具５との間に蓋部が介在することにより、外蓋部３０が梱包箱１の内部側（本実施形態では下向き）に撓むことが抑制される。これにより、刃で照明器具５を誤って傷つける可能性が低減される。また、刃が蓋部に接触することにより、刃で照明器具５を誤って傷つける可能性が低減される。
【００６７】
また、本実施形態に係る梱包箱１において、介在部４０は、電気絶縁性を有する。介在部４０は、照明器具５が収容されているとき、第一接続部８２と第二接続部９５との間に介在する。
【００６８】
上記の通り、介在部４０は、電気絶縁性を有し、照明器具５が収容されているとき、第一接続部８２と第二接続部９５との間に介在する。したがって、介在部４０は、第一接続部８２と第二接続部９５とが互いに接することをより確実に抑制することができる。
【００６９】
なお、介在部４０は複数設けられていてもよい。
【００７０】
また、照明器具５が梱包箱１に収容されているとき、介在部４０は、第一接続部８２と第二接続部９５との間に介在していなくてもよい。すなわち、介在部４０は、第一接続部８２と第二接続部９５とが互いに離れた状態を維持するように、電池ユニット８と点灯ユニット９との間に介在していればよい。例えば、介在部４０は、電池ユニット８の電池ケース８１と、点灯ユニット９の筐体９１との間に介在して、電池ケース８１と筐体９１とが互いに離れた状態を維持することにより、第一接続部８２と第二接続部９５とが互いに離れた状態を維持してもよい。介在部４０が電池ユニット８と点灯ユニット９との間に複数設けられていれば、第一接続部８２と第二接続部９５とが互いに離れた状態をより確実に維持することができる。
【００７１】
また、第一接続部８２及び第二接続部９５の形状は本実施形態で開示したコネクタ形状に限定されず、他の形状のコネクタであってもよい。例えば、第一接続部８２及び第二接続部９５は、金属板又はピンなどの第一導電性部材と、第一導電部材を保持する第二導電性部材とであってもよい。あるいは、第一接続部８２及び第二接続部９５は、コネクタでなくてもよい。例えば、第一接続部は電池８０の正極又は負極であって、第二接続部は第一接続部（正極又は負極）に接する端子であってもよい。すなわち、第一接続部８２及び第二接続部９５は、互いに接することで電池８０と点灯回路９０２とを電気的に接続させるように構成されていればよい。
【００７２】
また、筐体２の形状は直方体状に限定されない。例えば、筐体２は有底円筒状に形成されていてもよい。あるいは、筐体２は、六角形の開口部を有する六角柱状に形成されていてもよい。あるいは、筐体２は、開口部を有する任意の多角柱状に形成されていてもよい。
【００７３】
また、本実施形態では、照明器具５が梱包箱１に収容されているとき主部４３は、角形の半筒状の部分を有するように曲がっている。これに対して、主部４３は、例えば、半円筒状の部分を有するように曲がっていてもよい。また、主部４３は半筒状の部分を有するように曲がっていればよいので、例えば、角筒状又は円筒状に曲がっていてもよい。
【００７４】
また、外蓋部３０の数は１つであってもよいし、３つ以上であってもよい。また、第二蓋部４２の数は２つ以上であってもよい。
【００７５】
上記の各変形例であっても、梱包箱１は、照明器具５が収容されているとき、電池８０が点灯回路９０２に電力を供給して電力を消費することを抑制することができる。また、電池ユニット８を点灯回路９０２に適合しない別の電池ユニットと取り違える可能性を低減することができる。また、介在部が梱包箱の他の部分とは別体の部材である場合と比較して、照明器具５を梱包箱１から取り出したときに介在部４０を取り出し忘れる可能性を低減することができる。また、介在部が梱包箱の他の部分とは別体の部材である場合と比較して、介在部４０を用意したり処分したりする手間を減らすことができる。
【００７６】
なお、以上説明した実施形態は本発明の一例である。このため、本発明はこれらの実施形態に限定されず、本発明の趣旨を逸脱しない範囲において種々の変形が可能である。
【符号の説明】
【００７７】
１  梱包箱
１０  開口部
２  筐体
２３  周縁
２１０  辺（一の辺）
２２２  第二辺（周縁の一部）
３０  外蓋部
４０  介在部
４２  第二蓋部（蓋部）
４３  主部
５  照明器具
７０  光源
８  電池ユニット
８０  電池
８２  第一接続部
９  点灯ユニット
９５  第二接続部
９０２  点灯回路
【図１】
2018144873.tif 000003
【図２】
2018144873.tif 000004
【図３】
2018144873.tif 000005
【図４】
2018144873.tif 000006
【図５】
2018144873.tif 000007
【図６】
2018144873.tif 000008